(57)【特許請求の範囲】
【請求項１】
左右辺に左右障害板２１・２１を連設して、内面側に捕獲粘着層を形成した床面板２０と、それぞれ逆三角形状の複数の侵入口３１・３１・３１・…を設けた前後壁面板３０・３０と、一方に繋止孔４１又他方に繋止片４２を設けた前後屋根板４０・４０とを、それぞれ折り目線を介して連設した、板紙製やプラスチックシート製などの偏平台形状のごきぶり捕獲器において、
前後屋根板４０・４０の後前部にそれぞれ逆三角形状の複数の侵入口１１・１１・１１・…を設けた前後中央板１０・１０を折り目線を介して設け、かつ左右障害板２１・２１の上辺に、それぞれＶ字状の固定切欠き２２を設けて、左右障害板２１・２１の上辺に設けたＶ字状の固定切欠き２２・２２に、前後中央板１０・１０を、それぞれ挿入してＶ字谷状に固定したことを特徴とするごきぶり捕獲器。
【発明の詳細な説明】
【０００１】
【発明の属する技術分野】
本発明は、家庭で簡単に組立てて部屋の隅などに仕掛けて、誘引剤に釣られて侵入したごきぶりを捕獲して死滅させる、板紙製やプラスチックシート製などの偏平台形状のごきぶり捕獲器の改良に関する。
【０００２】
【従来の技術】
従来から、家庭で簡単に組立てて部屋の隅などに仕掛けて、誘引剤に釣られて侵入したごきぶりを捕獲して死滅させる、図２に示すような、左右辺に左右障害板２１・２１を連設して、内面側に捕獲粘着層（図示せず）を形成した床面板２０と、それぞれ逆三角形状の複数の侵入口３１・３１・３１・…を設けた前後壁面板３０・３０と、一方に繋止孔４１他方に繋止片４２を設けた前後屋根板４０・４０とを、それぞれ折り目線を介して連設した、板紙製やプラスチックシート製などの偏平台形状のごきぶり捕獲器が、一般に広く用いられている。
【０００３】
【発明が解決しようとする課題】
ところが従来の、図２に示すごきぶり捕獲器については、床面板２０の内面側に剥離紙などで保護して形成した、捕獲粘着層（図示せず）の剥離紙などを剥がして、添付してある誘引剤（図示せず）を散布するなどして、前後屋根板４０・４０の繋止構造４１・４２を繋止するだけて、家庭で簡単に組立てて部屋の隅などに仕掛けることができるものの、床面板２０の左右辺に連設した、左右障害板２１・２１の上部か、また斜め鋭角の前後壁面板３０・３０に設けた、それぞれの侵入口３１・３１からしか、ごきぶりが侵入できないために、誘引剤に釣られて侵入しようとするごきぶりが、それぞれの繋止構造４１・４２を設けた前後屋根板４０・４０の外面側を這い回って、なかなか侵入できないことが問題であって、ごきぶりを捕獲して死滅させる効果が今一歩低い、板紙製やプラスチックシート製などの偏平台形状のごきぶり捕獲器であった。
【０００４】
ところで、本発明の目的は、家庭で簡単に組立てて部屋の隅などに仕掛けて、誘引剤に釣られて侵入しようとするごきぶりが、左右障害板２１・２１の上部からに加えて、また前後壁面板３０・３０からに加えて、前後屋根板４０・４０からも侵入することができる、ごきぶりを捕獲して死滅させる効果が優れた、板紙製やプラスチックシート製などの偏平台形状のごきぶり捕獲器を提供することにある。
【０００５】
【課題を解決するための手段】
本発明のごきぶり捕獲器は、左右辺に左右障害板２１・２１を連設して、内面側に捕獲粘着層（図示せず）を形成した床面板２０と、それぞれ逆三角形状の複数の侵入口３１・３１・３１・…を設けた前後壁面板３０・３０と、一方に繋止孔４１他方に繋止片４２を設けた前後屋根板４０・４０とを、それぞれ折り目線を介して連設した、前述した従来の、図２に示す板紙製やプラスチックシート製などの偏平台形状のごきぶり捕獲器において、図１に示すように、前後屋根板４０・４０の、後前部（図１Ａでは前後部）にそれぞれ逆三角形状の複数の侵入口１１・１１・１１・…を設けた前後中央板１０・１０を折り目線を介して設け、かつ左右障害板２１・２１の上辺（図１Ａでは左右辺）に、それぞれＶ字状の固定切欠き２２を設けて、この斜め鋭角の左右障害板２１・２１の上辺に設けたＶ字状の固定切欠き２２・２２に、前後中央板１０・１０を、それぞれ挿入してＶ字谷状に固定したごきぶり捕獲器である。
【０００６】
【作用】
本発明のごきぶり捕獲器においては、前述した従来の、家庭で簡単に組立てて部屋の隅などに仕掛けることができる、図２に示す板紙製やプラスチックシート製などの偏平台形状のごきぶり捕獲器において、図１Ａに示すように、前後屋根板４０・４０の前後部にそれぞれ逆三角形状の複数の侵入口１１・１１・１１・…を設けた前後中央板１０・１０を折り目線を介して設け、かつ、左右障害板２１・２１の上辺に、それぞれＶ字状の固定切欠き２２を設けたことによって、図１Ｂに示すように、この斜め鋭角の左右障害板２１・２１の上辺に設けたＶ字状の固定切欠き２２・２２に、それぞれ前後中央板１０・１０を、それぞれ挿入してＶ字谷状に固定することができる（同時に左右障害板２１・２１を、ごきぶりが侵入し易い適度の鋭角（実施例では約４０度）に固定することができる）ものであって、誘引剤に釣られて侵入しようとするごきぶりが、左右障害板２１・２１の上方と前後壁面板３０・３０からに加えて、このＶ字谷状に固定した前後中央板１０・１０からも侵入することができる、ごきぶりを捕獲して死滅させる効果が優れた、板紙製やプラスチックシート製などの偏平台形状のごきぶり捕獲器を提供することができる。
【０００７】
【発明の実施の形態】
本発明のごきぶり捕獲器については、後述する実施例に示すように、通常の印刷をした適宜のコートボール紙などを用いて、通常の打抜型を用いた打抜工程で、無駄がない略長方形状のごきぶり捕獲器のブランクを作製して、従来と同様の塗布工程で、床面板２０の内面側に、剥離紙で保護したごきぶりを捕獲して死滅させる捕獲粘着層を形成するだけで、簡単に３つ折りした状態で販売することができる、工程が簡単で作製費用が廉価な、板紙製やプラスチックシート製などの偏平台形状のごきぶり捕獲器を得ることができる。
【０００８】
【実施例】
図１Ａは、本発明の実施例における、ごきぶり捕獲器のブランクの平面図であって、また図１Ｂは、このごきぶり捕獲器を組み立てた状態の斜視図である。
【０００９】
すなわち、左右辺に、それぞれの上辺（図１Ａでは左右辺）にＶ字状の固定切欠き２２を設けた左右障害板２１・２１を折り目線を介して連設した床面板２０と、それぞれ逆三角形状の４個の侵入口３１・３１・３１・３１を設けた前後壁面板３０・３０と、後前部（図１Ａでは前後部）に繋止孔４１又は繋止片４２・つまみ片４３を設けた前後屋根板４０・４０と、それぞれ逆三角形状の４個の侵入口１１・１１・１１・１１を設けた前後中央板１０・１０とを、それぞれ折り目線を介して連設した、図１Ａに示すごきぶり捕獲器のブランクであって、外面側に漫画的な家などを印刷して内面側に組立て方法などを印刷した、４００ｇ／ｍ2 の裏白コートボール紙を用いて、通常の打抜型を用いた打抜工程で、偏平台形状の漫画的な家の縦・横・高さが１０×２０×２．５ｃｍの、本発明の実施例における、無駄がない長方形状のごきぶり捕獲器のブランクを作製した。
【００１０】
次に、図１Ａに示すごきぶり捕獲器のブランクの、全ての符号がない１点鎖線で示す折り目線を谷折り（内面側が谷になる、以下同じ）して折りくせをつけて、従来と同様の塗布工程で、床面板２０の内面側の全面に、剥離紙で保護した捕獲粘着層（図示せず）を形成した後に、床面板２０と斜め鋭角の前後壁面板３０・３０との間の折り目線を谷折りして、袋入りの誘引剤（図示せず）を添付するなどして、本発明の実施例における、３つ折りした状態（図示せず）で販売するごきぶり捕獲器を作製した。
【００１１】
続いて、本実施例のごきぶり捕獲器を購入した顧客が、前述した従来の、図２に示すごきぶり捕獲器と同様に、床面板２０の内面側の全面に形成した、捕獲粘着層の剥離紙を剥がして、添付してある誘引剤を散布するなどして、前後屋根板４０・４０の後前部に設けた、繋止孔４１に繋止片４２を挿入して繋止することによって、それぞれ逆三角形状の４個の侵入口３１・３１・３１・３１を設けた前後壁面板３０・３０を、ごきぶりが侵入し易い適度の鋭角の約４０度に固定した後に、前後中央板１０・１０を折込んで、左右障害板２１・２１を強く押込むことによって、簡単に、左右障害板２１・２１の上辺に設けたＶ字状の固定切欠き２２・２２に、それぞれ逆三角形状の４個の侵入口１１・１１・１１・１１を設けた前後中央板１０・１０を、それぞれ挿入してＶ字谷状に固定することができるものであって、同時に、強く押込んだ左右障害板２１・２１を、ごきぶりが侵入し易い適度の鋭角の約４０度に固定することができるものであって、家庭で簡単に組立てて部屋の隅などに仕掛けることができる、本発明の実施例における、図１Ｂに示す偏平台形状のごきぶり捕獲器が得られた。
【００１２】
すなわち、本実施例のごきぶり捕獲器においては、図１Ｂに示すように、左右障害板２１・２１の上辺に設けたＶ字状の固定切欠き２２・２２に、それぞれ逆三角形状の４個の侵入口１１・１１・１１・１１を設けた前後中央板１０・１０を、それぞれ挿入してＶ字谷状に固定したことによって、誘引剤に釣られて侵入しようとするごきぶりが、左右障害板２１・２１の上部と前後壁面板３０・３０からに加えて、このＶ字谷状に固定した前後中央板１０・１０からも侵入することができる、ごきぶりを捕獲して死滅させる効果が優れた（本発明者らの私的なテストでは、ごきぶりの捕獲効率が約２０％上昇した）、板紙製の偏平台形状のごきぶり捕獲器を得ることができた。
【００１３】
また、本実施例のごきぶり捕獲器においては、後屋根板４０の前部（図１Ａでは後部）に、繋止片４２とともにつまみ片４３を設けたことによって、ごきぶりを捕獲して死滅させた偏平台形状のごきぶり捕獲器を、手などを汚さずに、つまみ片４３をつまんでそのまま廃棄することができる。
【００１４】
【発明の効果】
以上、作用及び実施例に示すとおり、本発明のごきぶり捕獲器においては、前述した従来の、家庭で簡単に組立てて部屋の隅などに仕掛けることができる、板紙製やプラスチックシート製などの偏平台形状のごきぶり捕獲器において、左右障害板の上辺に設けたＶ字状の固定切欠きに、それぞれ逆三角形状の複数の侵入口を設けた前後中央板を、それぞれ挿入してＶ字谷状に固定したことによって、誘引剤に釣られて侵入しようとするごきぶりが、左右障害板の上部と前後壁面板からに加えて、このＶ字谷状に固定した前後中央板からも侵入することができる、ごきぶりを捕獲して死滅させる効果が優れた、板紙製やプラスチックシート製などの偏平台形状のごきぶり捕獲器を提供することができる。
【図面の簡単な説明】
【図１】本発明の実施例における、図１Ａはごきぶり捕獲器のブランクの平面図であって、また図１Ｂは図１Ａのごきぶり捕獲器を組み立てた状態の斜視図である。
【図２】従来の、ごきぶり捕獲器を組み立てた状態の斜視図である。
【符号の説明】
１０        …前後中央板
１１・３１  …侵入口
２０        …床面板
２１        …左右障害板
２２        …Ｖ字状の固定切欠き
３０        …前後壁面板
４０        …前後屋根板
４１        …繋止孔
４２        …繋止片
４３        …つまみ片
【図１】
0003731289.tif 000002
【図２】
0003731289.tif 000003